(57)【要約】【課題】  複数のハンガーを取り付けた物干器などを、収納の際合理的に小容積にしようとすることを課題とする。【解決手段】  折畳み可能に接続した杆体に複数の小ハンガーを吊下げ、前記杆体へ支持部材を介してフックを取り付けた折畳みハンガーにおいて、前記小ハンガーを折畳み可能としたことを特徴とする折畳みハンガーによって、上記課題を解決した。【選択図】図２
2013141479.tif 000002
【特許請求の範囲】
【請求項１】
折畳み可能に接続した支持枠に複数の小ハンガーを吊下げ、前記支持枠へ支持部材を介してフックを取り付けた折畳みハンガーにおいて、前記小ハンガーを折畳み可能としたことを特徴とする折畳みハンガー。
【請求項２】
前記小ハンガーの肩掛け部に第一の支軸を設け、前記肩掛け部の先端側に固定片を介して底杆を固定し、前記底杆に第二の支軸を設け、前記第一の支軸を中心に前記肩掛け部を山折りに折畳み、前記第二の支軸を中心に前記底杆を山折りに折畳むことを特徴とする請求項１記載の折畳みハンガー。
【請求項３】
フックは、下向き鉤状フックと挟着片を有する挟着フックを組み合わせたことを特徴とする請求項１記載の折畳みハンガー。
【請求項４】
前記小ハンガーの肩掛け部に補助鞘を摺動自在に装着したことを特徴とする請求項２記載の折畳みハンガー。
【発明の詳細な説明】
【技術分野】
【０００１】
この発明は、衣服などを掛ける時に使用するハンガーであって、使用時と収納時（又は不使用時）によって形態を異にできる折畳みハンガーに関する。
【背景技術】
【０００２】
従来知られているハンガーは、衣服掛け部分の形状に変化なく、機能の改善（特許文献１）又は衣料などの吊下げのピンチ枠の折畳み（特許文献２）であった。
【先行技術文献】
【特許文献】
【０００３】
【特許文献１】特開２００７−５０２１１号公報
【特許文献２】特許第４６４５９７０号公報
【特許文献３】特開平１０−２７７２９１号公報
【発明の概要】
【発明が解決しようとする課題】
【０００４】
従来広く使用されているハンガーは、使用時と不使用時の形態は同一であるから、衣服などを安定保持するためのハンガーは嵩張り、収納時、包装時など比較的小さくすべく考慮したハンガーは、比較的小型で衣服などの安定保持に欠けるおそれがあった。
【課題を解決するための手段】
【０００５】
そこで、この発明は、衣料を支持するハンガーの形状を変化させ、前記従来の問題点を解決したのである。
【０００６】
特に、衣服掛けを多数並列したハンガーにあっては、そのまま包装すると容積が膨大になるので、改善を求められていた。そこで、各ハンガーを折畳することにより全容積を著しく縮小することに成功したのである。
【０００７】
即ち、衣服掛けは、衣服の肩部を掛けるハ字状杆体の突出量及び突出形態を制限すれば、全体として著しく縮小されることに想到し、これを具現した。
【０００８】
前記ハ字状杆体の基部を回動自在に軸支し、底杆は二分して中央部で回動自在に軸支すると共に、前記底杆の両外側部と前記ハ字状杆体の先端部とを固定することにより、前記目的を達成した。
【０００９】
前記ハ字状杆体の数に制限はないが、実用上２個乃至１０個程度であり、事実上は３個乃至１０個で、後述する実施例での８個の前記ハ字状杆体は標準数である。
【００１０】
この発明は二本の支持枠の短辺部両側へそれぞれ連結片を突設し、該連結片の先端部へ、側面視ハ字状に配置した杆体の上端をそれぞれ回転自在に軸止し、前記杆体の下端側へ底杆の両外側をそれぞれ固定すると共に、前記底杆の両内側端を回転自在に軸止し、前記二本の支持枠を一直線に配置して前記支持枠の内側端を回転自在に軸支し、両外側の上部に同一長さの吊線の下端をそれぞれ固定して、前記吊線の上端はフックの基部に固着し、折畳みハンガーを構成した。
【００１１】
前記フックを竿に掛けると、支持枠に所定数の小ハンガーを有するこの発明の折畳みハンガーができる。前記支持枠に設けた連結片の数だけ小ハンガーを有する折畳みハンガーを得ることになる。
【００１２】
前記小ハンガーの杆体と底杆をそれぞれの軸支部分で互いに近接すべく回転させれば、小ハンガーの幅が半減し、折畳みハンガー全体として小容積の形状にすることができる。
【００１３】
また、前記支持枠と連結片とを回転自在に軸止すれば、さらに小容積の形状にすることができる。
【発明の効果】
【００１４】
この発明によれば、ハ字状の杆体を回転自在に軸止したので、各小ハンガーを変形して折畳みハンガーをきわめて小容積に収容できる効果がある。前記各部材は何れも軸支しているので、折畳みその他収容時の折畳み方向などを間違えるおそれがない効果がある。
【図面の簡単な説明】
【００１５】
【図１】（ａ）この発明の実施例の正面図、（ｂ）同じく実施例に使用する連結環の拡大斜視図。
【図２】同じく一部を省略した平面図。
【図３】（ａ）同じく側面図、（ｂ）同じく一部を省略した折畳みの説明図、（ｃ）同じく折畳んだ状態の一部省略側面図。
【図４】同じく折畳んだ状態の一部省略側面図。
【発明を実施するための形態】
【００１６】
この発明の折畳みハンガーについて説明する。二本の支持枠の内端部を回転自在に軸支し、前記支持枠の内端部を重ね合わせができるようにする。
【００１７】
次に、前記支持枠へ、所定間隔で連結片をそれぞれ突設し、前記連結片の先端部へそれぞれ杆体の上端部を回転自在に軸支し、前記杆体の下部側へ底杆の両端部をそれぞれ固定する。
【００１８】
前記底杆の両端内側を重ね合わせて回転自在に軸支し、前記二本の支持枠を一直線に配置して内側端を回転自在に軸支する。
【００１９】
前記支持枠の両外側の上部に、同一長さの吊紐の下端をそれぞれ固定し、前記吊紐の上端はフックの基部に固着する。
【実施例１】
【００２０】
この発明の実施例を図１、２に基づいて説明する。図１において、断面凹弧状の支持枠１、１を、中央部に設けた連結部２で回転自在に軸支する。支持枠１、１は端面を当接させることにより、支持枠１、１が一直線になる。
【００２１】
支持枠１、１には所定間隔（例えば５ｃｍ）で連結片４、４を左右に突設する（図２）。連結片４、４は水平面に対し、ほぼ３０度の角度とする。
【００２２】
連結片４、４の先端へ、小ハンガーの上部を形成する杆体５、５の上端部を回転自在に軸支する。杆体５、５の下端部と底杆７、７の外端部とを、固定片６、６を介して固定する。また、底杆７、７の内端部を軸８で回転自在に軸支する。
【００２３】
杆体５、５と底杆７、７で小ハンガー１９を構成し、小ハンガー１９を支持枠１、１に取り付ける。即ち、支持枠に設けた連結片の数だけ小ハンガー１９が取り付けられる。杆体５には、補助鞘１６が摺動自在に装着してあり、補助鞘１６を摺動させることによりハンガーの幅を拡張させることができる（図３（ａ）鎖線図示）。
【００２４】
支持枠１、１の外端部に吊線９、９の一端を固定し、吊線９、９の他の端部連結環１２介してフック１０の基部１１へ連結し、この発明の折畳みハンガー１５を構成した。
【００２５】
底杆７、７の連結部を矢示２０のように押し上げると、杆体５、５が矢示２１のように回動し、折畳まれる（図３（ｂ））。このとき、小ハンガーの幅は図３に示されるように、Ｌ１からＬ２となり、折畳みハンガー１５は小容積な形態にすることができる。折畳まれた状態から矢示２２、２２のように軸２３、２３を中心として回動させれば、杆体５、５を拡開させることができる（図３（ｃ））。このとき、小ハンガーの幅は図３に示されるように、Ｌ２からＬ１となり、折畳みハンガーの使用時の形態とすることができる。
【００２６】
支持枠１、１は、中央部が軸３で回転自在に軸支され、支持枠１、１の両端部は吊線９、９により連結環１２を介してフック１０の基部１１に取り付けられる。連結環１２は板リング１２ａと線リング１２ｂよりなり、板リング１２ａで吊線９の湾曲部を掛止し、線リング１２ｂは、フック１０の基部１１に固定した小パイプに挿通掛止してある（図１（ａ）、（ｂ））。
【００２７】
フック１０の基部１１と支持枠１、１と吊線９、９との連結構造は一例であって、具体的構造に限定されるものではない。
【００２８】
フック１０は、下向きに湾曲した小フック１０ａと湾曲片１０ｂと可動挟着片１４とにより、挟着型フックとなり、小フック１０ａと湾曲片１０ｂとは、掛止対象となる竿の形状に応じて適宜使用する。また、支持枠１、１の外側上部に回動自在に取り付けたフック１３、１３は、フック１０を使用しない場合に竿などに掛止して使用する。
【００２９】
上述したように、杆体５を折畳むことにより、図４に示すように折畳みハンガー１５がコンパクトに折畳まれた形態となるので、少ない容積に収容することができる。
【符号の説明】
【００３０】
１  支持枠
２  連結部
４  連結片
５  杆体
６  固定片
７  底杆
９  吊線
１０  フック
１５  ハンガー
１６  補助鞘
【図１】
2013141479.tif 000003
【図２】
2013141479.tif 000004
【図３】
2013141479.tif 000005
【図４】
2013141479.tif 000006